(57)【特許請求の範囲】
【請求項１】
紐と、前記紐の一端に取り付けられたクリップ部と、前記紐の他端が取り付けられているドラムと、前記紐を巻き取る方向に前記ドラムを付勢するスプリングと、からなるピンオンリールに用いられるロック装置であって、
前記ドラムの側面に形成された第一の円盤と、前記第一の円盤の側面に形成され、前記第一の円盤よりも直径の小さい第二の円盤と、ロック用部と、前記ロック用部を前記第一の円盤の外周面及び前記第二の円盤の外周面に押し付ける第一の方向及び前記第一の円盤の側面に押し付ける第二の方向に付勢するバネと、を備え、
前記第一の円盤には、前記紐が引き出される方向に前記ドラムが回転した場合に、前記ロック用部を前記第二の円盤の外周面から、前記第一の円盤の外周面に移動させる第一の溝と、前記ロック用部に引っかかり、前記紐を巻き取る方向への前記ドラムの回転をロックする第二の溝と、前記紐が引き出される方向に前記ドラムが回転した場合に、前記ロック用部を前記第二の溝から、前記第二の円盤の外周面に移動させる斜面と、が形成されており、
前記第一の円盤の回転軸から、前記第二の溝の壁面の部分であって前記第一の円盤の外周面に面する部分までの距離の内、前記紐を引き出す方向に前記ドラムを回転させた場合に、前記ドラムの回転方向に対向する壁面側の距離の方が大きくされていることを特徴とするロック装置。
【請求項２】
前記第二の溝及び前記斜面が前記第一の円盤に複数設けられていることを特徴とする請求項１に記載のロック装置。
【請求項３】
前記第一の溝と、前記第二の溝及び前記斜面と、が交互にそれぞれ複数個ずつ前記第一の円盤に設けられていることを特徴とする請求項１に記載のロック装置。
【請求項４】
前記斜面と前記第二の円盤との間に前記ロック用部が通過する橋部を備えたことを特徴とする請求項１乃至３の何れか一項に記載のロック装置。
【請求項５】
前記第二の溝は、前記紐が引き出される方向に対して９０度又は鈍角をなして形成されていることを特徴とする請求項１乃至４の何れか一項に記載のロック装置。
【請求項６】
前記第一の溝と前記ドラムの側面との間には段差が設けられていることを特徴とする請求項１乃至５の何れか一項に記載のロック装置。
【請求項７】
前記ロック用部は、前記バネの先端部を折り曲げることにより形成されていることを特徴とする請求項１乃至６の何れか一項に記載のロック装置。
【請求項８】
前記第一の円盤の側面には、前記第二の円盤の外周面に沿って、凹状孔が設けられていることを特徴とする請求項１乃至７の何れか一項に記載のロック装置。
【請求項９】
請求項１乃至８の何れか一項に記載のロック装置が取り付けられているピンオンリール。
【発明の詳細な説明】
【０００１】
【発明の属する技術分野】
本発明は、ピンオンリールに用いられるロック装置及びロック装置が取り付けられたピンオンリールに関する。
【０００２】
【従来の技術】
釣りなどの際には、ラインカッター、フックシャープナー、針外し等の頻繁に使用する道具をピンオンリールに取り付け、衣服等に吊り下げておくことが行われている。
【０００３】
従来のピンオンリールは、紐と、紐の一端に取り付けられたクリップ部と、紐の他端が取り付けられているドラムと、前記紐を巻き取る方向に前記ドラムを付勢するスプリングと、から構成されている。
【０００４】
そして、このような構成のピンオンリールは、クリップ部にラインカッター、フックシャープナー、針外し等の道具を取り付け、この道具を引っ張ることにより、ドラムに巻かれた紐が引き出されるようにされており、また、この道具から手を離すと、ドラムがスプリングにより紐を巻き取る方向に付勢されているため、引き出された紐がドラムに巻き取られるようになっていた。
【０００５】
【発明が解決しようとする課題】
従来のピンオンリールにおいては、クリップ部にラインカッター等の道具を取り付け、この道具を引っ張ることによりドラムに巻かれた紐が引き出されるようにされており、また、この道具から手を離すと、ドラムに紐が巻き取られるようにされていたため、道具を使用する場合には、道具から手を離すことができず、一度道具から手を離した場合には、再度、クリップ部に取り付けられている道具を引っ張り、紐を引き出す必要があった。
【０００６】
そこで、本発明は、紐を巻き取る方向に付勢されているドラムの回転をロックするロック装置及びこのようなロック装置を有するピンオンリールを提供することを目的とする。
【０００７】
【課題を解決するための手段】
以上の課題を解決するため、本発明は、紐と、前記紐の一端に取り付けられたクリップ部と、前記紐の他端が取り付けられているドラムと、前記紐を巻き取る方向に前記ドラムを付勢するスプリングと、からなるピンオンリールに用いられるロック装置であって、前記ドラムの側面に形成された第一の円盤と、前記第一の円盤の側面に形成され、前記第一の円盤よりも直径の小さい第二の円盤と、ロック用部と、前記ロック用部を前記第一の円盤の外周面及び前記第二の円盤の外周面に押し付ける第一の方向及び前記第一の円盤の側面に押し付ける第二の方向に付勢するバネと、を備え、前記第一の円盤には、前記紐が引き出される方向に前記ドラムが回転した場合に、前記ロック用部を前記第二の円盤の外周面から、前記第一の円盤の外周面に移動させる第一の溝と、前記ロック用部に引っかかり、前記紐を巻き取る方向への前記ドラムの回転をロックする第二の溝と、前記紐が引き出される方向に前記ドラムが回転した場合に、前記ロック用部を前記第二の溝から、前記第二の円盤の外周面に移動させる斜面と、が形成されており、前記第一の円盤の回転軸から、前記第二の溝の壁面の部分であって前記第一の円盤の外周面に面する部分までの距離の内、前記紐を引き出す方向に前記ドラムを回転させた場合に、前記ドラムの回転方向に対向する壁面側の距離の方が大きくされていることを特徴とするロック装置を提供する。
【０００８】
上述のように、釣りなどの際に用いられるピンオンリールは、紐と紐の一端に取り付けられたクリップ部と、紐の他端が取り付けられているドラムと、この紐を巻き取る方向にドラムを付勢するスプリングとから構成されていた。
【０００９】
本発明は、このようなピンオンリールにおいて、紐を巻き取る方向に付勢されているドラムの回転をロックするロック装置及びこのようなロック装置を有するピンオンリールを提供するものである。
【００１０】
本発明に係るロック装置は、ドラムの側面に形成された第一の円盤と、この第一の円盤の他方の側面、即ち、ドラムの側面とは接触していない方の側面に形成され、第一の円盤の直径よりも小さい直径を有する第二の円盤と、ロック用部と、このロック用部を第一の円盤の外周面及び第二の円盤の外周面に押し付ける第一の方向と第一の円盤の側面に押し付ける第二の方向に付勢するバネと、から構成されている。
【００１１】
ここで、第一の円盤はドラムの側面に形成され、また、第二の円盤はこの第一の円盤の側面に形成されていることから、このドラムの回転とともに第一の円盤と第二の円盤も回転することとなる。
【００１２】
なお、ドラムに第一の円盤と第二の円盤を形成する手段としては、ドラム、第一の円盤及び第二の円盤を別個に作成し、これらを接着等してもよく、また、これらを一体成形してもよい。
【００１３】
ロック用部は、バネにより、ドラムの回転とともに回転する第一の円盤の外周面及び第二の円盤の外周面並びに第一の円盤の側面に押し付けられる関係上、これらの回転を円滑に行うことができるような大きさ、形状を有している必要がある。
【００１４】
もっとも、ロック用部は、第一の円盤に設けられている第二の溝に引っかかり、ドラムの紐を巻き取る方向への回転をロックする関係上、この第二の溝に引っかかるような大きさ、形状である必要がある。
【００１５】
このようなロック用部としては、円柱状のロック用片をバネの先端部に取り付けても良い。
【００１６】
また、このような円柱状のロック用片は、その壁面が、第一の円盤及び第二の円盤の外周面に押し当てられ、また、このロック用部の底面が第一の円盤の側面に押し当てられるように形成するのが望ましい。
【００１７】
また、円柱状のロック用片をその中心軸の周りに回転するように構成することにより、このロック用片と第一の円盤及び第二の円盤との摩擦が少なくなり、ドラムの回転を円滑に行うことができるようになる。
【００１８】
また、ロック用部は、バネの先端部を折り曲げることにより形成することも可能である。
【００１９】
このようにバネを折り曲げることでロック用部を形成する場合には、例えば、三角形（Ｖ字状）や半円形に形成することができる。
【００２０】
バネは、ロック用部を第一の円盤の外周面及び第二の円盤の外周面に押し付ける第一の方向とロック用部を第一の円盤の側面に押し付ける第二の方向に付勢している。
【００２１】
即ち、ドラムの回転軸に対して垂直方向である第一の方向と水平方向である第二の方向に付勢している。
【００２２】
このように、バネは、二方向に対して作用するため、二つのバネを組み合わせて、使用してもよく、また、バネを略垂直に折り曲げることにより、第一の方向と第二の方向に付勢するように構成することもできる。
【００２３】
第一の円盤には、紐が引き出される方向にドラムを回転させた場合に、ロック用部を第二の円盤の外周面から第一の円盤の外周面に移動させる第一の溝と、ロック用部に引っかかり、紐を巻き取る方向へのドラムの回転をロックする第二の溝と、紐が引き出される方向にドラムが回転した場合に、ロック用部を第二の溝から、第二の円盤の外周面に移動させる斜面と、が形成されている。
【００２４】
第一の溝は、第一の円盤の外周面から第二の円盤の外周面に達するように設けられており、この第一の溝の側壁であって、紐が引き出される方向にドラムを回転させた場合に、その回転方向に対向する位置にある側壁は、第二の円盤の外周面と連続する側壁を形成するように設けておく必要がある。
【００２５】
例えば、第二の円盤の外周面に対して接線となるような側壁を形成することができる。
【００２６】
このような側壁を形成することにより、バネにより第二の円盤の外周面に押し付けられたロック用部が、紐を引き出す方向へのドラムの回転により、第一の溝が形成されている位置に達した場合に、第一の円盤の側面に押し当てられる方向に付勢しているバネの力により、第二の円盤の外周面と連続的に形成されている第一の溝の側壁を伝って、第一の円盤の外周面に押し出されることとなる。
【００２７】
一方、紐を引き出す方向にドラムが回転した場合に、その回転方向に対向する側壁と反対の側壁、即ち、紐を巻き取る方向にドラムが回転した場合に、その回転方向に対向する側壁は、第一の円盤の外周面に押し付けられているロック用部が、この側壁を伝って、第一の円盤の側面に押し出されるような傾斜を付けておくこともできる。
【００２８】
このような傾斜を付けておくことにより、以下に記載するように、ロック用部が第二の溝の形成されている位置に達するようにドラムを回転させることなく、紐を巻き取ることができるようになる。
【００２９】
もっとも、このような構成を採用せず、第一の円盤の外周面に押し付けられているロック用部が、第一の溝を伝って、第一の円盤の側面に押し出されないようにするため、第一の円盤の外周面に面する第一の溝には、ドラムの側面との間に段差を設けておくこともできる。
【００３０】
第二の溝は、紐を引き出す方向にドラムを回転させた場合に、ロック用部がこの第二の溝に入り込むように、第一の円盤の外周面から第一の円盤の内部に向かって形成されている。
【００３１】
このような第二の溝が設けられていることにより、紐を引き出す方向にドラムが回転した場合には、ロック用部が第二の溝に入り込むこととなる。
【００３２】
このような第二の溝は、紐を巻き取る方向にドラムを回転させた場合の回転方向に対して、９０度又は鈍角となるように形成することが望ましい。
【００３３】
このような角度で形成するのは、第二の溝の壁面であって、紐を巻き取る方向にドラムが回転した場合に、その回転方向に対向する壁面に、ロック用部が引っかかり、紐を巻き取る方向へのドラムの回転を阻止するためである。
【００３４】
第一の円盤の回転軸から、第二の溝の壁面の部分であって第一の円盤の外周面に面する部分までの距離の内、紐を引き出す方向にドラムを回転させた場合に、このドラムの回転方向に対向する壁面側の距離の方が大きくすることにより、ロック用部が容易に第二の溝に入り込むことができるようにすることができる。
【００３５】
第二の溝の壁面であって、紐を巻き取る方向へのドラムの回転を阻止する壁面とは反対の壁面には、紐を引き出す方向にドラムが回転した場合に、ロック用部を、この第二の溝から、第一の円盤の側面に押し出すような斜面が形成されている。
【００３６】
このようにして、第一の円盤の側面に押し出されたロック用部は、第二の円盤の外周面方向に付勢しているバネの力により、第二の円盤の外周面及び第一の円盤の側面に押し付けられることとなる。
【００３７】
そこで、また、紐を引き出す方向へのドラムの回転により、ロック用部が第一の溝の形成されている位置にまで達した場合に、第一の溝の側壁、第一の円盤の外周面、第二の溝及び斜面を通って、再び、第二の円盤の外周面の所に戻るという繰り返しが起こる。
【００３８】
これに対して、紐を巻き取る方向にドラムを回転させた場合には、ロック用部が、第二の溝の壁面に引っかかり、該回転が阻止されることとなる。
【００３９】
なお、第二の溝の壁面であって、紐を引き出す方向への前記ドラムの回転方向に対向する壁面、即ち、斜面が形成されている側の壁面を、紐を引き出す方向へのドラムの回転方向に対して、鈍角となるように形成することにより、紐を強く引っ張り出した場合には、ロック用部が第二の溝に押し込まれずに、第一の外周面に押し付けられたまま回転し続けるようにすることもできる。
【００４０】
また、第一の円盤に設けられている斜面と第二の円盤の外周面との間に、ロック用部が通過することができる橋部を設けることにより、紐を巻き取る際に、該ロック用部が該第二の円盤の外周面に押し当てられたまま、即ち、斜面、第一の円盤の外周面及び第一の溝を通ることなく、紐を巻き取ることが可能となる。
【００４１】
第二の溝及び斜面については、第一の円盤に複数設けることができる。
【００４２】
このように、第一の円盤に、第二の溝と斜面とを複数設けることにより、一度通過した第二の溝の所にまでドラムを回転させることなく、ドラムの回転をロックすることができるようになる。
【００４３】
第一の溝、第二の溝及び斜面については、これらが交互にそれぞれ複数個ずつ、第一の円盤に設けることも可能である。
【００４４】
このように、第一の溝、第二の溝及び斜面を交互にそれぞれ複数個ずつ、第一の円盤に設けることにより、ロック用部が引っかかる第二の溝を複数設けることができ、より細かく、紐を引きだしておく長さを調節することが可能となる。
【００４５】
なお、第一の円盤の側面に、第二の円盤の外周面に沿って、凹状孔を設けておくことにより、第二の円盤の外周面に押し付けられた位置にあるべきロック用部が自由に動いてしまうことを防止することができる。
【００４６】
【発明の実施の形態】
図１は、本発明の第一の実施形態に係るロック装置１００の上方斜視図である。図２乃至図９は、本発明の第一の実施形態に係るロック装置１００の一連の動作を示す上方からみた平面図である。
【００４７】
紐１０１を巻き取るドラム１０２の内部には、スプリング１０７が挿入されており、スプリング１０７の一端１０７ａは軸部材１０５に固定されており、また、スプリング１０７の他端１０７ｂは、ドラム１０２の内部の壁面に固定されている。
【００４８】
以上のような構成により、ドラム１０２は、紐１０１を巻き取る方向、即ち、Ｂの方向に回転するように付勢されている。
【００４９】
本実施形態に係るロック装置１００は、第一の円盤１０３、第二の円盤１０４、ロック用片１１３及びバネ１１４を備えている。
【００５０】
第一の円盤１０３は、ドラム１０２の一側面１０２ａに取り付けられている。
【００５１】
また、第一の円盤１０３の側面であって、ドラム１０２に取り付けられていない方の側面１０３ａには、第二の円盤１０４が第一の円盤１０３と同心となるように取り付けられている。
【００５２】
ドラム１０２、第一の円盤１０３及び第二の円盤１０４は、接着により固定されており、ドラム１０２が回転すると、第一の円盤１０３及び第二の円盤１０４も回転するようになっている。
【００５３】
なお、ドラム１０２、第一の円盤１０３及び第二の円盤１０４には、軸部材１０５を挿入するための軸部材用穴１０６が設けられている。
【００５４】
バネ１１４により、ロック用片１１３は、第一の円盤１０３の外周面１０３ｂ及び第二の円盤１０４の外周面１０４ａに押し付けられる第一の方向Ｃに付勢されていおり、さらに、第一の部材１０３の側面１０３ａに押し付けられる第二の方向Ｄにも付勢されている。
【００５５】
このようなバネ１１４は、本実施形態においては、弾力性のある金属からなり、一部に巻状部１１４ａが形成されており、この巻状部１１４ａの弾力性により、Ｃ方向への付勢を達成し、また、この巻状部１１４ａからロック用片１１３に至る部分１１４ｂをほぼ鉛直方向に延びるように形成し、部分１１４ｂを斜め上方に曲げることにより生じる弾力性により、Ｄ方向への付勢を達成するよう構成されている。
【００５６】
第一の円盤１０３には、第一の溝１１１と、第二の溝１１２と、斜面１２１と、が形成されている。
【００５７】
第一の溝１１１の側壁１１７であって、紐１０１を引き出す方向にドラム１０２を回転させた場合に、その回転方向と対向する側壁１１７ａは、図２乃至図９に表されているように、第二の円盤１０４の外周面１０４ａと一連の面となるように形成されている。
【００５８】
すなわち、第一の溝１１１は、第二の円盤１０４の外周面１０４ａにまで至るように形成されており、かつ、ドラム１０２が紐１０１を引き出す方向に回転した場合に、その回転方向に対向する側壁１１７ａは、上方から見た場合に、第二の円盤１０４の外周面１０４ａと接するように形成されている。
【００５９】
このような側壁１１７ａが形成されていることにより、バネ１１４の弾性力により第二の円盤１０４の外周面１０４ａ及び第一の円盤１０３の側面１０３ａに押し付けられているロック用片１１３が、紐１０１を引き出す方向（Ａ方向）にドラム１０２が回転し第一の溝１１１の形成されている所に達することで、第一の溝１１１の側壁１１７ａを伝って第二の円盤１０４の外周面１０４ａから第一の円盤１０３の外周面１０３ｂに押し出される。
【００６０】
このように、第一の溝１１１が形成されている位置にまで達したロック用片１１３は、ドラム１０２が、さらにＡ方向に回転することにより、第一の溝１１１の側壁１１７ａを伝って、第一の円盤１０３の外周面１０３ｂにまで押し出される。
【００６１】
なお、第一の溝１１１の側壁１１７であって、側壁１１７ａとは反対の側壁１１７ｂは、ドラム１０２が紐１０１を巻き取る方向、即ち、Ｂ方向に回転した場合に、ロック用片１１３が第一の円盤１０３の側面１０３ａに戻ることができるような傾斜が設けられている。
【００６２】
また、第一の円盤１０３には、第二の溝１１２が形成されており、ドラム１０２のＡ方向への回転により、ロック用片１１３が第二の溝１１２の形成されている所にまで達した場合には、バネ１１４のＣ方向への弾性力により、ロック用片１１３が第二の溝１１２に押し込まれる。
【００６３】
第二の溝１１２は、紐１０１を巻き取る方向へのドラム１０２の回転方向、即ち、Ｂの方向に対して鈍角を形成する角度で、第一の円盤１０３の外周面１０３ｂから第一の円盤１０３の内部に向かって形成されている。
【００６４】
このような角度で第二の溝１１２が設けられていることにより、ロック用片１１３が、第二の溝１１２に入った場合には、ロック用片１１３は、第二の溝１１２の壁面１１８であって、紐１０１を巻き取る方向（即ち、Ｂ方向）へのドラム１０２の回転方向に対向する壁面１１８ａに引っかかり、ドラム１０２のＢ方向への回転をロックすることができる。
【００６５】
このように、ロック用片１１３が、第二の溝１１２の壁面１１８ａに引っかかることで、ドラム１０２のＢ方向への回転が阻止され、ラインカッター等の道具が取り付けられている紐１０１が引き出された状態を保つことができる。
【００６６】
なお、このような角度で、第二の溝１１２を形成することにより、第二の溝１１２の壁面１１８であって、紐１０１を引き出す方向へのドラム１０２の回転方向に対して対向する壁面１１８ｂが、紐１０１を巻き取る方向Ｂに対して、鈍角を形成することとなり、紐１０１を強く引いた場合に、ロック用片１１３が、第二の溝１１２の壁面１１８ｂにぶつかっても、容易に、第二の溝１１２から出ることができ、ロック用片１１３が、第一の円盤１０３の外周面１０３ｂに押し付けられたまま、ドラム１０２を回転させることができる。
【００６７】
そして、ロック用片１１３が、第一の円盤１０３の外周面１０３ｂに押し付けられたまま、ドラム１０２が回転することにより、紐１０１を強く引いた場合に、紐１０１の引き出しを容易に行うことができる。
【００６８】
第一の円盤１０３には、第二の溝１１２から第一の円盤１０３の側面１０３ａに向かって斜面１２１が形成されている。
【００６９】
このような斜面１２１が形成されていることにより、ドラム１０２が、Ａ方向に回転した場合に、Ｄ方向に付勢されているロック用片１１３が、斜面１２１を伝って、第一の円盤１０３の側面１０３ａに押し出される。
【００７０】
第一の円盤１０３の側面１０３ａに押し出されたロック用片１１３は、バネ１１４によりＣ方向にも付勢されているので、第二の円盤１０４の外周面１０４ａに押し付けられる。
【００７１】
以上のようにして、ロック用片１１３は、ドラム１０２が紐１０１を引き出す方向、即ち、Ａ方向に回転した場合には、第二の円盤１０４の外周面１０４ａ及び第一の円盤１０３の側面１０３ａに押し付けられている位置から、第一の溝１１１、第一の円盤１０３の外周面１０３ｂ、第二の溝１１２及び斜面１２１を伝って、再び、元の位置に戻ることとなる。
【００７２】
なお、上述したように、紐１０１を強く引っ張った場合には、ロック用片１１３は、第二の円盤１０４の外周面１０４ａ及び第一の円盤１０３の側面１０３ａに押し当てられた位置から、第一の溝１１１を伝って、第一の円盤１０３の外周面１０３ｂに押し当てられた位置に押し出された後、第二の溝１１２に押し込まれることなく、第一の円盤１０３の外周面１０３ａに押し当てられた位置に留まることができる。
【００７３】
一方、第一の円盤１０３の斜面１２１と第二の円盤１０４の外周面１０４ａとの間には、ロック用片１１３が通ることのできる橋部１２２が設けられているため、ドラム１０２が紐１０１を巻き取る方向、即ち、Ｂの方向に回転した場合には、ロック用片１１３は、第二の円盤１０４の外周面１０４ａ及び第一の円盤１０３の側面１０３ａに押し当てられた位置のまま、ドラム１０２は回転することとなる。
【００７４】
本実施形態においては、バネ１１４の先端部１１４ｃに円柱状のロック用片１１３を取り付けている。
【００７５】
なお、ロック用片１１３は、その中心軸の周りに回転可能であるようにバネ１１４の先端１１４ｃに取り付けることもできる。
【００７６】
ロック用片１１３を回転可能にすることにより、ロック用片１１３は第一の円盤１０３及び第二の円盤１０４の外周面１０４ａに対して回転しながら接触することとなり、ロック用片１１３が回転しない場合と比較して、摩擦抵抗を減らすことができる。
【００７７】
以上述べたドラム１０２の回転に伴うロック用片１１３の位置関係は、図２乃至図９に表されている。
【００７８】
図２に表されているように、ロック用片１１３は、バネ１１４により、第一の円盤１０３の側面１０３ａ及び第二の円盤４の外周面１０４ａに押し付けられている。
【００７９】
この位置から、ドラム１０２の紐１０１を引き出す方向、即ち、Ａ方向への回転により、ロック用片１１３が第一の溝１１１の形成されている位置に達した場合には、図３に表されているように、ロック用片１１３は、第一の溝１１１に押し込まれる。
【００８０】
さらに、ドラム１０２がＡ方向に回転することにより、図４に表されているように、ロック用片１１３は、第一の溝１１１の壁面１１７であって、紐１０１を引き出す方向へのドラム１０２の回転方向に対向する側壁１１７ａを伝って、第一の円盤１０３の外周面１０３ｂに押し出される。
【００８１】
そして、ドラム１０２がＡ方向に回転し、ロック用片１１３の所に第二の溝１１２が達した場合には、図５に表されているように、ロック用片１１３は、第二の溝１１２に押し込まれる。
【００８２】
ここで、ロック用片１１３は、第二の溝１１２の壁面１１８であって、紐１０１を巻き取る方向へのドラム１０２の回転方向に対向する壁面１１８ａに引っかかり、ドラム１０２が紐１０１を巻き取る方向、即ち、Ｂ方向へのドラム１０２の回転が阻止される。
【００８３】
なお、ロック用片１１３が、図４の位置にある場合において、紐１０１を強く引っ張ったときには、図６に表されているように、ロック用片１１３は、第二の溝１１２に押し込まれずに、第一の円盤１０３の外周面１０３ｂに留まることとなる。
【００８４】
このようにロック用片１１３が第一の円盤１０３の外周面１０３ｂに留まっているときでも、紐１０１を引っ張る力を弱めることにより、ロック用片１１３は、第二の溝１１２に押し込まれ、以下に述べるように、ロック用片１１３は、図２で示された位置に戻ることとなる。
【００８５】
図５で表されているように、ロック用片１１３が第二の溝１１２に押し込まれている場合において、さらにドラム１０２がＡ方向に回転することにより、図７に表されているように、ロック用片１１３は、斜面１２１を伝って、第一の円盤１０３の側面１０３ａに押し出される。
【００８６】
ここで、ロック用片１１３は、バネ１１４のＣ方向への弾性力により、図８に表されているように、第二の円盤１０４の外周面１０４ａ及び第一の円盤１０３の側面１０３ａに押し当てられることとなり、これは、図２に表された状態と同様の状態である。
【００８７】
なお、図２又は図８に表されている位置にロック用片１１３がある場合において、ドラム１０２が紐１０１を巻き取る方向、即ち、Ｂ方向に回転したときには、図９に表されているように、ロック用片１１３は、斜面１２１と第二の円盤１０４の間に設けられた橋部１２２を通るので、第二の溝１１２の壁面であってＢ方向に対向する壁面１１８ａに引っかかることなく、紐１０１を巻き取ることができる。
【００８８】
図６に表されているように、ロック用片１１３が第一の円盤１０３の外周面１０３ｂにある場合でも、第二の溝１１２及び斜面１２１を通して、図８又は図２の位置にロック用片１１３を戻してやることにより、スムーズに紐１０１を巻き取ることができる。
【００８９】
図１０は、本発明の第二の実施形態に係るロック装置２００の上方斜視図である。図１１は、本発明の第二の実施形態に係るロック装置２００の上面図である。
【００９０】
本実施形態は、第一の実施形態に係るロック装置１００と異なり第一の円盤２０３に、第二の溝２１２Ａ、２１２Ｂ及び斜面２２１Ａ、２２１Ｂ並びに橋部２２２Ａ、２２２Ｂを二つずつ設けている。
【００９１】
その他の構成については、本実施形態は、第一の実施形態と同様の構成となっている。
【００９２】
このような構成を採用することにより、紐１０１を強く引っ張り、ロック用片１１３が、第一の円盤２０３の外周面２０３ｂにある場合であっても、一度通過した第二の溝２１２Ａの形成されている位置にまでロック用片１１３を戻すことなく、ドラム１０２の回転にロックをかけることができるようになる。
【００９３】
図１２は、本発明の第三の実施形態に係るロック装置３００の上方斜視図である。図１３は、本発明の第三の実施形態に係るロック装置３００の上面図である。
【００９４】
本実施形態は、第一の実施形態に係るロック装置１００とは異なり、第一の円盤３０３に、第一の溝３１１Ａ、３１１Ｂ、第二の溝３１２Ａ、３１２Ｂ、斜面３２１Ａ、３２１Ｂ及び橋部３２２Ａ、３２２Ｂを一組として、これらを二組設けている。
【００９５】
その他の構成については、本実施形態は、第一の実施形態と同様の構成となっている。
【００９６】
このように、本実施形態においては、第一の円盤３０３に第一の溝３１１、第二の溝３１２、斜面３２１及び橋部３２２の組が二組設けられているため、第一の実施形態と比べて、より細かくロックをかけることができる。
【００９７】
図１４は、本発明の第四の実施形態に係るロック装置４００の上方斜視図である。図１５は、本発明の第四の実施形態に係るロック装置４００の上面図である。
【００９８】
本実施形態に係るロック装置４００は、第一の溝４１１、第二の溝４１２、ロック用片４１３及び第一の円盤４０３の形状が異なっている他は、第一の実施形態に係るロック装置１００とほぼ同様の構成を有している。
【００９９】
本実施形態に係る第一の溝４１１は、縦断面がほぼＵ字状になるように形成されており、また、第一の溝４１１とドラム１０２の側面１０２ａとの間には、段差４２３が設けられている。
【０１００】
これは、本実施形態においては、第一の実施形態とは異なり、紐１０１を巻き取る方向にドラム１０２を回転させ、ロック用片４１３が第一の溝４１１の位置する所にまで達した場合に、この第一の溝４１１を伝って、ロック用片４１３が第一の円盤４０３の外周面４０３ｂから第一の円盤４０３の側面４０３ａに押し出されるという構成を採用していないからである。
【０１０１】
したがって、本実施形態では、第一の実施形態のように第一の溝４１１の紐１０１を引き出す方向へのドラム１０２の回転方向と対向する側壁４１７ｂに傾斜を付けてはいない。
【０１０２】
また、第二の溝４１２の方は、この第二の溝４１２の壁面４１８の部分であって、第一の円盤４０３の外周面４０３ｂに面する部分４１８ｃ、４１８ｄの角が丸くなるように削られている。
【０１０３】
なお、どの程度削るかは、ロック用片４１３を円滑に第二の溝４１２内に押し込むことができるように適時選択することができる設計事項である。
【０１０４】
さらに、本実施形態では、第一の円盤４０３の回転軸４０３ｃから、第二の溝４１２の壁面４１８の部分であって、第一の円盤４０３の外周面４０３ｂに面する部分４１８ｃ、４１８ｄまでの距離（図１５のＸ、Ｙ）の内、紐１０１を巻き取る方向へのドラム１０２の回転方向に対向する壁面４１８ａの部分４１８ｃまでの距離Ｘの方が大きくなるように形成されている。
【０１０５】
即ち、図１５に表しているように、第一の円盤４０３の回転軸４０３ｃから、紐１０１を巻き取る方向へのドラム１０２の回転方向に対向する壁面４１８ａの部分であって第一の円盤４０３の外周面４０３ｂに面する部分４１８ｃまでの距離Ｘよりも、紐１０１を引き出す方向へのドラム１０２の回転方向に対向する壁面４１８ｂの部分であって第一の円盤４０３の外周面４０３ｂに面する部分４１８ｄまでの距離Ｙの方が小さくなるように形成している。
【０１０６】
このようにすることにより、ドラム１０２をＡ方向に回転させた場合に、ロック用片４１３が壁面４１８ａにぶつかり、ロック用片４１３が容易に第二の溝４１２の内部に入り込むことができるようになる。
【０１０７】
また、本実施形態では、ロック用片４１３がバネ４１４の先端部４１４ａを折り曲げることにより形成されている。
【０１０８】
本実施形態では、ロック用片４１３は、バネ４１４の先端部４１４ａをまず図１４における下方に折り曲げ、次いで、これを斜め上方に折り曲げることで、全体としてほぼ三角形（Ｖ字形）となるように形成しているが、これは、ロック用片４１３が、円滑に第一の溝４１１及び第二の溝４１２内を移動することができるような形状であればどのような形状でも採用することができる。
【０１０９】
なお、図１６に表しているように、第一の円盤５０３の側面５０３ａに、第二の円盤５０４の外周面５０４ａに沿って、凹状孔５２３を設けておくことにより、第二の円盤５０４の外周面５０４ａに押し付けられた位置にあるべきロック用部５１３が、自由に動いてしまうことを防止することができる。
【０１１０】
特に、本実施形態のように、第一の円盤５０３及び第二の円盤５０４の外側にバネ５１４を配置して、ロック用片５１３をこれらの第一の円盤５０３の外周面５０３ｂ及び第二の円盤５０４の外周面５０４ａに押し付ける方向に付勢する場合、第一の円盤５０３の外周面５０３ｂよりも第二の円盤５０４の外周面５０４ａに押し付ける力の方が弱くなるため、ロック用片５１３が第二の円盤５０４の外周面５０４ａに押し付けられる位置から外れてしまうことがあり、このようなことを防止するため、第一の円盤５０３の側面５０３ａに、第二の円盤５０４の外周面５０４ａに沿って、凹状孔５２３を設けておくのが望ましい。
【０１１１】
図１７は、本発明の第六の実施形態に係るロック装置付きピンオンリール６００の縦断面図である。
【０１１２】
本実施形態においては、上述の第一の実施形態に係るロック装置１００をピンオンリール６００に取り付けたものである。
【０１１３】
即ち、本実施形態においては、ドラム１０２、第一の円盤１０３及び第二の円盤１０４に設けられた軸部材用穴１０６に軸部材１０５を通し、軸部材１０５の両端を外部ケース６２４に固定している。
【０１１４】
また、本実施形態では、バネ１１４の一端を外部ケース６２４に固定している。
【０１１５】
紐１０１の一端１０１ａには、ラインカッター等の道具を取り付けるクリップ部６２５が設けられている。
【０１１６】
以上のように、本実施形態を構成したので、クリップ部６２５にラインカッター等の道具を取り付け、該道具を引っ張り、クリップ部６２５に取り付けられた紐１０１を引き出した際に、本実施形態に設けられたロック装置１００により、紐１０１を巻き取る方向、即ち、Ｂ方向へのドラム１０２の回転がロックされ、紐１０１を引き出した状態で、道具を使用することができるようになる。
【０１１７】
【発明の効果】
本発明を以上のように構成したので、糸を巻き取る方向に付勢されているドラムの回転をロックすることができる。
【０１１８】
また、このようなロック装置をピンオンリールに取り付けることにより、ピンオンリールに巻き取られている紐を引き出した状態で、ピンオンリールのクリップ部に取り付けられている道具を使用することができるようになる。
【図面の簡単な説明】
【図１】第一の実施形態に係るロック装置１００の上方斜視図。
【図２】第一の実施形態に係るロック装置１００の上方から見た平面図。
【図３】第一の実施形態に係るロック装置１００の一連の動作を示す上方からみた平面図。
【図４】第一の実施形態に係るロック装置１００の一連の動作を示す上方からみた平面図。
【図５】第一の実施形態に係るロック装置１００の一連の動作を示す上方からみた平面図。
【図６】第一の実施形態に係るロック装置１００の一連の動作を示す上方からみた平面図。
【図７】第一の実施形態に係るロック装置１００の一連の動作を示す上方からみた平面図。
【図８】第一の実施形態に係るロック装置１００の一連の動作を示す上方からみた平面図。
【図９】第一の実施形態に係るロック装置１００の一連の動作を示す上方からみた平面図。
【図１０】第二の実施形態に係るロック装置２００の上方斜視図。
【図１１】第二の実施形態に係るロック装置２００の上方から見た平面図。
【図１２】第三の実施形態に係るロック装置３００の上方斜視図。
【図１３】第三の実施形態に係るロック装置３００の上方から見た平面図。
【図１４】第四の実施形態に係るロック装置４００の上方斜視図。
【図１５】第四の実施形態に係るロック装置４００の上方から見た平面図。
【図１６】第五の実施形態に係るロック装置５００の上方斜視図。
【図１７】第六の実施形態に係るロック装置付きピンオンリール６００の縦断面図。
【符号の説明】
１００、２００、３００、４００、５００  ロック装置
１０１  紐
１０２  ドラム
１０３、２０３、３０３、４０３、５０３  第一の円盤
１０４、５０４  第二の円盤
１０５  軸部材
１０６  軸部材用穴
１０７  スプリング
１１１、２１１、３１１、４１１、５１１  第一の溝
１１２、２１２、３１２、４１２、５１２  第二の溝
１１３、４１３、５１３  ロック用片
１１４、４１４、５１４  バネ
１２１、２２１、３２１、４２１  斜面
１２２、２２２、３２２、４２２  橋部
６００  第六の実施形態に係るピンオンリール
５２３  凹状孔
６２４  外部ケース
６２５  クリップ部
【図１】
0003919588.tif 000002
【図２】
0003919588.tif 000003
【図３】
0003919588.tif 000004
【図４】
0003919588.tif 000005
【図５】
0003919588.tif 000006
【図６】
0003919588.tif 000007
【図７】
0003919588.tif 000008
【図８】
0003919588.tif 000009
【図９】
0003919588.tif 000010
【図１０】
0003919588.tif 000011
【図１１】
0003919588.tif 000012
【図１２】
0003919588.tif 000013
【図１３】
0003919588.tif 000014
【図１４】
0003919588.tif 000015
【図１５】
0003919588.tif 000016
【図１６】
0003919588.tif 000017
【図１７】
0003919588.tif 000018